(57)【特許請求の範囲】
【請求項１】
オペレーションサポートシステムＯＳＳに対して構成された移動ネットワーク装置において、少なくとも１つのプロセッサ、及びプログラムインストラクションを記憶する少なくとも１つのメモリを備え、そのプログラムインストラクションは、少なくとも１つのプロセッサにより実行されたとき、装置が、
前記ＯＳＳの整合機能により、非整合機能、前記非整合機能のインスタンス、又は構成管理（ＣＭ）履歴データベースに、前記非整合機能又は前記非整合機能の前記インスタンスに関する情報を要求し、この非整合機能又は非整合機能のインスタンスは、前記整合機能に関連したものであり；
前記整合機能により、前記非整合機能、前記非整合機能のインスタンス、又は前記ＣＭ履歴データベースから、前記情報を含む応答を受信し；及び
前記応答に基づき、前記整合機能により、前記非整合機能又は非整合機能のインスタンスを制御する；
ようにさせる、移動ネットワーク装置。
【請求項２】
前記情報は、前記非整合機能又は非整合機能のインスタンスのオペレーションを識別するように少なくとも部分的に構成される、請求項１に記載の移動ネットワーク装置。
【請求項３】
前記情報は、自己編成ネットワーク機能識別ＳＦＩ＿ＩＤを有する変化の起点を含む、請求項２に記載の移動ネットワーク装置。
【請求項４】
前記情報は、前記非整合機能の機能インスタンスを識別するように少なくとも部分的に構成される、請求項１に記載の移動ネットワーク装置。
【請求項５】
前記情報は、エントリ識別ｅｎｔｒｙＩＤを有する変化の起点を含む、請求項４に記載の移動ネットワーク装置。
【請求項６】
前記情報は、前記非整合機能がイネーブルされたか又はディスエイブルされたか、及びＩｍｐａｃｔｌｓＯｎ又はＩｍｐａｃｔｌｓＯｆｆのような前記非整合機能又は非整合機能のインスタンスの動作状態又は段階を指示するように少なくとも部分的に構成される、請求項１に記載の移動ネットワーク装置。
【請求項７】
前記情報は、前記非整合機能又は非整合機能のインスタンスのインパクトエリアを指示するように少なくとも部分的に構成される、請求項１に記載の移動ネットワーク装置。
【請求項８】
前記情報は、前記非整合機能又は非整合機能のインスタンスのインパクトタイムを指示するように少なくとも部分的に構成される、請求項１に記載の移動ネットワーク装置。
【請求項９】
前記情報は、構成管理（ＣＭ）オペレーション、該オペレーションの状態情報、及び前記非整合機能又は非整合機能のインスタンスの状態を含む、請求項１に記載の移動ネットワーク装置。
【請求項１０】
前記情報は、構成管理プランから抽出されるように少なくとも部分的に構成される、請求項１に記載の移動ネットワーク装置。
【請求項１１】
前記情報は、構成管理アクチベーションレコードから抽出されるように少なくとも部分的に構成される、請求項１に記載の移動ネットワーク装置。
【請求項１２】
前記情報は、機能インスタンスの状態から抽出されるように少なくとも部分的に構成される、請求項１に記載の移動ネットワーク装置。
【請求項１３】
前記非整合機能又は非整合機能のインスタンスは、構成管理（ＣＭ）履歴データベースと相互作用する、請求項１に記載の移動ネットワーク装置。
【請求項１４】
前記ＣＭ履歴データベースは、情報が欠落していることを検出するように構成される、請求項１に記載の移動ネットワーク装置。
【請求項１５】
前記ＣＭ履歴データベースが情報の欠落を検出する場合に、前記ＣＭ履歴データベースは、少なくとも１つの非整合機能又は非整合機能のインスタンスに情報を要求するように構成され、及び
前記少なくとも１つの非整合機能又は非整合機能のインスタンスは、前記ＣＭ履歴データベースに対して前記情報の応答を送信するように構成される、請求項１４に記載の移動ネットワーク装置。
【請求項１６】
前記応答は、情報を含まず、前記プログラムインストラクションは、前記装置が、情報を要求している少なくとも１つの非整合機能又は非整合機能のインスタンスに更なる要求を送信するようにさせる、請求項１３に記載の移動ネットワーク装置。
【請求項１７】
前記更なる要求は、複数の非整合機能又は非整合機能のインスタンスへブロードキャストされ又は通知されるように構成される、請求項１６に記載の移動ネットワーク装置。
【請求項１８】
オペレーションサポートシステムＯＳＳに対して構成された移動ネットワーク装置の少なくとも１つのプロセッサが、
前記ＯＳＳの整合機能により、非整合機能又は非整合機能のインスタンスに関する情報を要求し、この非整合機能又は非整合機能のインスタンスは、前記整合機能に関連したものであり；
前記整合機能により、前記情報を含む応答を受信し；及び
前記応答に基づき、前記整合機能により、前記非整合機能又は非整合機能のインスタンスを制御する；
ことを含むオペレーションを遂行するようにさせる実行可能なインストラクションを含む
コンピュータ読み取り可能なストレージ媒体。
【請求項１９】
オペレーションサポートシステムＯＳＳの整合機能により、非整合機能又は非整合機能のインスタンスに関する情報を要求し、この非整合機能又は非整合機能のインスタンスは、前記整合機能に関連したものであり；
前記整合機能により、前記情報を含む応答を受信し；及び
前記応答に基づき、前記整合機能により、前記非整合機能又は非整合機能のインスタンスを制御する；
ことを含む方法。
【発明の詳細な説明】
【背景技術】
【０００１】
自己編成ネットワークＳＯＮ（self-organizing network）は、移動無線アクセスネットワークのプランニング、構成、管理、最適化、及び回復をより簡単且つ迅速にするよう設計された自動化技術である。ＳＯＮ機能及び振舞いは、第三世代パートナーシッププロジェクト３ＧＰＰ、及び次世代移動ネットワークＮＧＭＮ（next generation mobile networks）により形成された一般容認移動産業勧告に定義され、特定されている。ＳＯＮの約束の１つは、オペレーションサポートシステムＯＳＳ又は英国仕様のオペレーションサポートシステムと考えられ、これらは、ネットワークを管理するためにテレコミュニケーションズサービスプロバイダーにより使用されるコンピュータシステムである。ＯＳＳは、ネットワーク在庫、サービスプロビジョニング、ネットワーク構成、性能及び欠陥管理、ＣＭ、ＰＭ及びＦＭのような管理機能をサポートする。
【０００２】
例えば、長期進化ＬＴＥネットワークのような実際のネットワークのネットワーク要素において働く多数の個々の機能、ＳＯＮ機能又は非ＳＯＮ機能がある。これら機能の多くは、いったんイネーブルされると、ＯＳＳ機能（ＯＳＳの機能）に相談したり、そこから命令や許可を受けたりせずに、例えば、監視、判断実行、ネットワーク要素のパラメータ変更、等の働きそれ自体を実行する。これらの機能は、通常、それらの非常に限定されたネットワーク範囲の急速な変化にリアルタイムで反応する。
【０００３】
ある機能がネットワーク要素のあるパラメータを変更する場合に、その変更は、ＯＳＳ機能に瞬時に通知される。例えば、構成管理ＣＭ履歴エンティティ、例えば、ＣＭ履歴テーブルレポートは、ＯＳＳ側では、ネットワーク要素においてローカルに働く機能によりなされた構成アクションの情報を有する。しかしながら、他のＯＳＳ機能は、ネットワークオペレーションセンターのオペレータ（人間）に対するＧＵＩを含めて、この変更情報を直接得ることはない。例えば、ＯＳＳで働く整合機能は、その機能が直接的な整合のもとになければ、変更された機能のこの情報を得ることはない。ＯＳＳの直接的な整合のもとにない機能は、例えば、移動負荷バランシングＭＬＢ、配布移動頑健性ｄ−ＳＯＮ  ＭＲＯ、エンハンストセル間干渉状態ｅＩＣＩＣ、回路交換フォールバックＣＳＦＢ、単一無線ボイスコール継続ＳＲＶＣＣ及びサービスベースのハンドオーバーＳＢＨＯである。
【発明の概要】
【０００４】
この概要は、以下の詳細な説明で更に述べる概念の選択を簡単な形態で紹介するためのものである。この概要は、請求項に述べる要旨の重要な特徴又は本質的な特徴を識別するものでもないし、請求項に述べる要旨の範囲を限定するものでもない。
１つの例において、移動ネットワーク装置は、オペレーションサポートシステムＯＳＳに対して構成されるもので、少なくとも１つのプロセッサ、及びプログラムインストラクションを記憶する少なくとも１つのメモリを備え、該プログラムインストラクションは、少なくとも１つのプロセッサにより実行されたとき、装置が、ＯＳＳの整合機能により、非整合機能又は非整合機能のインスタンスに関する情報を要求し、この非整合機能又は非整合機能のインスタンスは、整合機能に関連したものであり；整合機能により、その情報を含む応答を受信し；及びその応答に基づいて、整合機能により、非整合機能又は非整合機能のインスタンスを制御する；ようにさせる。
【０００５】
他の例において、方法及びコンピュータプログラム製品が移動ネットワーク装置の特徴と共に開示される。
【０００６】
多数の付随的特徴は、添付図面に関連した以下の詳細な説明を参照することにより良好に理解されたときに容易に明らかとなろう。
【０００７】
本発明は、添付図面に関連して以下の詳細な説明を読んだときに良好に理解されよう。
【図面の簡単な説明】
【０００８】
【図１】規範的実施形態によるＯＳＳ機能のアーキテクチャーを示す。
【図２】規範的実施形態によるＯＳＳ機能のアーキテクチャーを示す。
【図３】移動ネットワーク装置の規範的実施形態のブロック図である。
【発明を実施するための形態】
【０００９】
添付図面では、同じ部分が同じ参照文字で示されている。
【００１０】
添付図面に関連して以下に述べる詳細な説明は、本発明の実施例の説明であり、本発明の実施例が構成され又は利用される唯一の形態を表わすものではない。しかしながら、異なる実施例により同じ又は同等の機能及びシーケンスを遂行することができる。
【００１１】
図１及び２は、移動アーキテクチャーモデルの一例を示す。本発明の実施例は、ＯＳＳＳＯＮネットワークタイプで実施されるものとして図示して説明するが、それらは、ネットワーク機能の単なる例に過ぎず、それに限定されるものではない。当業者に明らかなように、本発明の実施例は、種々の異なるタイプのネットワーク機能及び装置に適用するのに適したものである。特定の機能についての関連実施例及び図面は、他のアーキテクチャーにも適用できる。
【００１２】
図１及び２は、整合機能１００を含み、これは、整合機能Ａ、Ｂ及びＣ（１０Ａ、１０Ｂ、１０Ｃ）に接続されてそれらを制御する。整合機能１００は、例えば、実施例において検討されたように、非整合機能１１１、１１２、１１３を制御するように構成される。ＣＭデータのデータベース１０２及びＣＭ履歴のデータベース１０１は、要求及び応答メッセージにより整合機能１００に接続される。ＣＭ履歴のデータベース１０１は、要求−応答メッセージにより非整合機能１１２に接続される。更に、ＣＭデータのデータベース１０２及びＣＭ履歴のデータベース１０１は、非整合機能１１１、１１２、１１３に接続されて、直接的又は間接的に更新を行わせる。実施例にはインターフェイスｉｔｆ−Ａ、ｉｔｆ−Ｂ及びｉｔｆ−Ｃが示されており、そしてユーザ制御のためのグラフィックユーザインターフェイスＧＵＩが示されている。
【００１３】
実際のネットワークにおいて、多くのローカル機能、例えば、多くのＤ−ＳＯＮ機能は、整合機能１００により整合されない。これらの非整合機能１１１、１１２、１１３は、依然、それらの間で相互作用し、且つ整合機能１０Ａ、１０Ｂ、１０Ｃと相互作用する。しかしながら、異なる種類の衝突が生じ得る。拡張性の制限及び種々の実際上の制約のために、整合機能１００は、その直接的な整合のもとで、全てのネットワーク機能を管理せず且つ管理できない。整合機能１００は、非整合機能１１１、１１２、１１３により何が行われたかに関する情報を少なくとも有する。整合に対してそのような情報を利用することにより、整合機能１００は、その整合機能１０Ａ、１０Ｂ、１０Ｃを正しく整合し、そしてネットワーク規模の一貫性でネットワークオペレーションを駆動する。
【００１４】
ＯＳＳ機能に関する実施例では、整合機能１００は、ＯＳＳ機能の判断実行及びアクション実行プロセスに対して極めて即座に非整合機能１１１、１１２、１１３の特定情報を要求する。この実施例では、整合機能１００により極めて即座に非整合機能１１１、１１２、１１３の特定の制御が可能である。この実施例は、ある機能、特に、非整合機能１１１、１１２、１１３のどんな情報を、整合機能１００のようなＯＳＳ機能に対して入手できねばならないか定義する。又、この実施例では、そのような情報をどこで、どのように収集するかについても検討する。図１及び２には、３つのインターフェイスｉｔｆ−Ａ、ｉｔｆ−Ｂ及びｉｔｆ−Ｃの例も示されている。
【００１５】
一例によれば、整合機能１００により要求される情報は、構成管理ＣＭプラン、ＣＭアクチベーションレコード、及び所与の機能の状態レコードから抽出されるように構成される。ＣＭプラン、アクチベーションレコード、及び機能の状態の例について検討し、それらは、種々の情報エレメントを含む。
【００１６】
しかしながら、ネットワークのオペレーション中に、かなり頻繁に情報エレメントがあり、その値は、対応するアクチベーションレコードでは欠落している。これは、典型的に、非整合機能１１１、１１２、１１３の場合である。特に、分散型ＳＯＮ機能の場合に、発生機能又は発生理由を識別する情報エレメントは、存在しないことがある。従って、ある実施例では、分散型ＳＯＮ機能を明確に識別するために要求される２つの付加的な情報エレメントもＣＭアクチベーションレコード定義において定義される。機能インスタンス定義の状態は、例えば、付加的な情報が追加されるという点で、同様の状態を有する。更に、ＣＭプランがもし適用される場合は、アクチベーションレコード及び機能の状態は、通常、同じ情報ストレージには保持されない。従って、一例は、厳密に全ての要求された情報エレメント及びそれらの値に関連し、要求された情報が整合機能１００に対して入手できるようにする。
【００１７】
制御のために要求される情報エレメントの例は、ＣＭプランのための情報エレメント、ＣＭアクチベーションレコード、及びＣＭを開始した機能インスタンスの状態、に基づいてなされる拡張である。それらの例は、以下に、１つ１つ説明する。
【００１８】
ＣＭプランの一例は、テーブル１に示す情報エレメントを有することができる。ＣＭプランは、プラン名、プランＩＤ、プラン生成のタイムスタンプ、及びプランコンテンツを含む。
テーブル１
0006543715.tif 000002
【００１９】
ＣＭアクションのＣＭアクチベーションレコードの一例は、テーブル２に示す情報エレメントを含む。ＣＭアクチベーションレコードは、管理されたオブジェクトＭＯ、区別された名前ＤＮ、タイムスタンプ、変化の起点、パラメータ名、古い値、新しい値、及びコンテキストを含む。それらは、ＣＭ履歴ファイルのレコードについて定義されたものと同様である。変化の起点は、ＳＯＮ機能インスタンスＳＦＩ識別ＩＤ（ＳＦＩ＿ＩＤ）及び所与のＳＦＩに対するエントリの独特のＩＤのような非整合機能を要求し且つ制御するように構成された手段を含む。ＳＦＩ＿ＩＤは、機能を識別するように構成される。ＳＦＩ＿ＩＤ及びエントリＩＤは、機能の特定のインスタンスを識別するように一緒に構成される。一例によれば、２種類のレベル、即ち機能レベル及びそのインスタンスレベルがある。機能は、その機能の潜在的インスタンスがインスタンス生成される充分前にイネーブルされる。この機能レベルにおいて、機能の状態情報がイネーブル又はディスエイブルされる。機能のオペレーションは、機能の構成である。機能は、その機能の１つ以上のインスタンスへとインスタンス生成される。このインスタンスレベルにおいて、インスタンスのオペレーション、インパクト、状態、等は、機能のまさしくそのインスタンスに特有なものに過ぎない。
テーブル２
0006543715.tif 000003
0006543715.tif 000004
【００２０】
状態レコードとも称される機能インスタンスの状態の一例について以下に述べる。状態レコードは、図１及び図２に示すように、ＣＭデータのデータベース１０２に保持される機能インスタンスのオペレーション情報を与える。状態レコードは、テーブル３に示す次の情報エレメントを含む。
テーブル３
0006543715.tif 000005
【００２１】
ある例は、必要な情報エレメント及びそれらの値を抽出することに関連している。
【００２２】
所与のインパクト情報に関連した機能インスタンスのＣＭプランの抽出は、次の通りである。この抽出は、ＣＭ履歴のデータベース１０２又は各ファイルと共に、インターフェイスｉｔｆ−Ａについて以下に定義された手順により実行される。
【００２３】
機能インスタンスの状態の抽出は、次の通りである。欠落情報は、ＣＭプランに関連した現在状態でもある。これは、単に、ＣＭアクションであり、例えば、ＣＭアクチベーションを行った非整合機能１１１、１１２、１１３の現在状態である。又、これは、ＣＭアクチベーション及び機能のインパクトでもある。
【００２４】
機能インスタンスのＣＭアクチベーションレコードの抽出は、次の通りである。情報を抽出するための２つの一般的な例がある。
【００２５】
第１の例において、ＳＯＮ機能がＯＳＳ機能によって直接管理される場合には、ＯＳＳ機能それ自体により又はＯＳＳを操作するユーザにより抽出を行うことができる。新たなＣＭプランがアクチベートされると、実際のプランのような以前のＣＭプランに比しての変化がＣＭアクチベーションレコードに記憶される。ＣＭアクチベーションレコードは、アクセスのためにＣＭ履歴のデータベース１０１に記憶される。新たなＣＭプランはある識別を含むので、ＣＭ変化、特に、それら変化をトリガーする起点又は理由は、ＣＭ履歴データベース１０１のファイルから容易に追跡される。例えば、テーブル４に例示されている。
【００２６】
第２の例において、ＳＯＮ機能（例えば、分散型ＳＯＮ機能のような非整合機能１１１、１１２、１１３）が、ＯＳＳを経て直接管理することなく、自律的オペレーションをローカルで実行する場合には、この機能のＣＭアクチベーションレコードは、値が与えられることなく、ある情報エレメントを有することになる。ＣＭに生じる変化は、何故、又は誰により、例えば、この場合は、どの自動ローカルＳＯＮオペレーションにより、ＣＭ変化が生じたかの情報なしに、ＣＭ履歴ファイルに記憶される。この例では、欠落情報は、図１及び図２に示す代替的構成の一方により抽出されねばならない。
【００２７】
図１は、欠落情報を抽出する例を示す。ＣＭ履歴のデータベース１０１は、ＣＭアクチベーションレコードを受け取り、そのレコードの情報エレメントの幾つかは、値がなく空である。ＣＭ履歴のデータベース１０１の情報チェッカーは、この欠落エレメントを検出する。情報チェッカー又はＣＭ履歴のデータベース１０１は、欠落情報に対して関連機能インスタンスへ要求ｒｑ３を送信する。これは、インターフェイスｉｔｆ−Ｂの例において定義された手順で処理される。それに対応する機能インスタンスは、欠落情報と共に応答ｒｅ３を送信する。これは、インターフェイスｉｔｆ−Ｂの例において定義された手順を使用することに基づく。この代替的構成は、ＣＭ履歴のデータベース１０１におけるアクチベーションレコードを使用に対してほぼ常時完全なものにする。しかしながら、そのアクチベーションレコードの多くは、製造機能によって使用されず、処理リソースのくびれを招く。
【００２８】
図２は、欠落情報を抽出する別の例を示す。ＯＳＳ機能、例えば、整合機能１００は、整合に関連したＣＭ変化があることを検出する。これは、ｉｔｆ−Ａ手順を使用した後である。しかしながら、このＣＭ変化は、ＣＭ履歴データベース１０１又はファイルに充分な情報をもたずにアクチベーションレコードとして記憶されている。次いで、整合機能１００は、ＣＭアクチベーションレコードの欠落情報エレメント値に対して全ての関連非整合機能１１１、１１２、１１３へオンデマンドで要求ｒｑ４を直接送信する。対応するＣＭアクチベーションを行う非整合機能１１２は、ＯＳＳ機能１００に応答ｒｅ４を送信しなければならない。応答ｒｅ４は、全情報値でなされるのが好ましい。例えば、欠落情報は、変化の起点又は変化の原因、等である。この例は、ＣＭ履歴のデータベース１０１に対する不要な処理オーバーヘッドを防止する。この例は、要求側ＯＳＳ機能に対するビット特別負荷及び遅延を追加し得る。
【００２９】
一例は、インターフェイスｉｔｆ−Ａに関連している。ｉｔｆ−Ａは、図１及び２において、整合機能１００とＣＭ履歴データベース１０１との間に示されている。インターフェイスｉｔｆ−Ａは、ＯＳＳ機能、例えば、整合機能１００に対して定義される。インターフェイスｉｔｆ−Ａは、ＣＭアクチベーションレコード及びもしあれば関連ＣＭプランに対してＣＭ履歴データベース１０１に要求ｒｑ１を送信するよう構成される。整合機能１００は、ＣＭ履歴データベース１０１に要求ｒｑ１を送信する。要求ｒｑ１は、インパクトエリア、及び任意であるが、インパクトタイムを含む。インパクトエリア及びインパクトタイムは、状態機能インスタンスに基づく。ＣＭ履歴データベース１０１は、整合機能１００に応答ｒｅ１を送信する。応答ｒｅ１は、ＣＭアクチベーションレコード、及び任意であるが、ＣＭプランを含む。ＣＭアクチベーションレコード及びＣＭプランは、所与のインパクトエリアに関連している。インターフェイスｉｔｆ−Ａは、更に、ＣＭアクチベーションを行ったか又は所与のインパクトエリアに関連する当該ＣＭアクチベーション又は当該機能の状態情報に対しＯＳＳ機能１００がＣＭデータのデータベース１０２に要求ｒｑ２を送信するように定義される。整合機能１００は、ＣＭデータのデータベース１０２に要求ｒｑ２を送信する。要求ｒｑ２は、管理オブジェクトＤＮを含む。要求ｒｑ２は、インパクトエリア、及び任意であるが、インパクトタイムを含む。管理オブジェクトＤＮ、インパクトエリア及びインパクトタイムは、機能インスタンスの状態に基づく。ＣＭデータのデータベース１０２は、整合機能１００に応答ｒｅ２を送信する。応答ｒｅ２は、管理オブジェクトＤＮの状態を含む。応答ｒｅ２は、インパクトエリア、及び任意であるが、インパクトタイムに関連した管理オブジェクトＤＮの１つ以上の状態を含む。
【００３０】
一例は、インターフェイスｉｔｆ−Ｂに関連している。ｉｔｆ−Ｂは、図１及び２に示されている。インターフェイスｉｔｆ−Ｂは、ＯＳＳ機能、例えば、整合機能１００に対して定義される。インターフェイスｉｔｆ−Ｂは、ＣＭアクチベーションの欠落履歴情報について当該非整合機能を要求するように構成される。一例において、ＣＭ履歴のデータベース１０１は、当該非整合機能１１２に要求ｒｅ３を送信する。別の例では、整合機能１００は、当該非整合機能１１２に要求ｒｅ３を送信する。要求ｒｅ３は、パラメータ名及びパラメータの新たな値を含む。要求され且つ所与の値をもつ所与のパラメータを以前に変更した非整合機能１１２は、応答ｒｅ３を送信する。この応答は、管理オブジェクトＤＮ、ＣＭプランのタイムスタンプ、又は要求生成、変化の起点、及び任意であるが、変化の原因を含む。応答ｒｅ３は、ＣＭ履歴データベース１０１又は整合機能１００へ送信される。
【００３１】
一例は、インターフェイスｉｔｆ−Ｃを定義する。ｉｔｆ−Ｃは、図１及び２に示されている。インターフェイスｉｔｆ−Ｃは、ＯＳＳ機能、例えば、整合機能１００が、非整合機能１１１、１１２、１１３を制御するように定義される。ｉｔｆ−Ｃは、非整合機能１１１、１１２、１１３を制御するのに使用される。例えば、整合機能１００は、非整合機能１１２に対してオペレーションを遂行する。このオペレーションは、コマンドを送信する。このオペレーションは、管理オブジェクトＤＮ、及びイネーブル／ディスエイブル又はアクチベート／デアクチベート又はｉｍｐａｃｔｕｐｄａｔｅｄ値を機能インスタンスの状態のように含む。任意であるが、非整合機能又はおそらく別の機能は、管理オブジェクトＤＮ、及びイネーブル／ディスエイブル又はアクチベート／デアクチベート又はｉｍｐａｃｔｕｐｄａｔｅｄ値を含む通知を発行してもよい。一例によれば、ｉｍｐａｃｔｕｐｄａｔｅは、ｉｍｐａｃｔｉｓｏｎ又はｉｍｐａｃｔｉｓｏｆｆの値を得る非整合機能１１１、１１２、１１３のインパクト情報を変更することが意図される。
【００３２】
インターフェイスｉｔｆ−Ａ、ｉｔｆ−Ｂ及びｉｔｆ−Ｃは、論理的インターフェイスとして実施される。例えば、整合機能１００と非整合機能１１２との間のインターフェイスｉｔｆ−Ｃは、論理的インターフェイスであって、整合機能１００とネットワーク要素ＮＥとの間の物理的インターフェイスではない。物理的インターフェイスは、ＳＯＮコーディネーターとＣＭデータベースとの間に実現される。例えば、ＳＯＮコーディネーターにより生成されるプランのプロビジョニングでは、非整合機能がネットワーク要素のあるグループについてイネーブル／ディスエイブルされ、そのグループは、ＭＯ  ＤＮのリストである。
【００３３】
以下のテーブル４は、２つのＣＭアクチベーションレコードをその第１及び第２のエントリに含む一例を示す。各エントリは、ＣＭ履歴ファイルに記録されたあるパラメータ値の変化を表す。変化の起点データフィールドは、誰が又はどんな理由で変化を生じさせたかを示す。第１エントリにおいて明らかなように、変化の起点に関する情報はなく、おそらく、その変化が非整合機能１１１、１１２、１１３によりトリガーされたという結論である。それに対して、第２エントリは、他のＣＭ変化が、ＯＳＳを経て整合状態で、例えば、整合機能１００により、ＣＭプラン（プレフィックス：ＩｎｔｅｒＲＡＴ＿ＡＮＲ＿ＧＥＲＡＮ、ｐｌａｎｉｄ：１５６４、ｄａｔｅ：０８．０１．２０１４）で実行されたことを示す。この実行は、ユーザにより手動で瞬時に行われるか又はスケジュールされて行われる。又、この実行は、ある基準に基づきシステムにより自動的にトリガーされ、例えば、イベントベースでトリガーされる。例えば、８．１．２０１４の１２：１４にＩｎｔｅｒＲＡＴ＿ＡＮＲ＿ＧＥＲＡＮと称される整合ＳＯＮオペレーションによって変化がなされたことが検出される。又、他の情報、例えば、エントリのコンテキスト要素により保持できるそのようなＣＭ変化の理由又は原因を有してもよい。
テーブル４
0006543715.tif 000006
【００３４】
変化の起点が未知である例では、変化が非整合機能１１１、１１２、１１３により生じたと仮定する。次のステップは、どの機能によるものかを識別することである。これは、ある管理オブジェクトの区別名ＤＮでＣＭデータベース１０１、１０２を検査して、例えば、ＬＮＢＴＳ又はＬＮＣＥＬのようなネットワーク要素においてローカルにイネーブル又はアクチベートされる非整合ＳＯＮ機能があるかどうかチェックすることで、行うことができる。この質問は、例えば、その管理オブジェクトにおいてイネーブルされるｄ−ＳＯＮ機能、例えば、ＭＬＢ及びｅＩＣＩＣがあることを返送する。それにも拘らず、ＣＭ変化が、特に、ある非整合ＳＯＮ機能により生じたことの１００％信頼性には決して到達しない。というのは、パラメータ名からある機能へ戻るリンケージが現在なく、どの機能によりあるパラメータが変化したか言うことができないからである。しかしながら、これは、例えば、インターフェイスｉｔｆ−Ｂを経て非整合機能１１１、１１２、１１３を送信するために整合機能１００が必要とする要求の数を著しく減少する。しかしながら、この質問は、どの分散型ＳＯＮ機能がある領域においてアクティブであるか理解し、そして他のＳＯＮとの衝突が考えられる場合に、例えば、ある期間中、それらをスイッチオフ、又はディスエイブルするように、ＯＳＳ、即ちＳＯＮコーディネーターを助ける。
【００３５】
一例は、非整合ＳＯＮ機能１１１、１１２、１１３が、例えば、サービスベースのハンドオーバーＳＢＨＯにより、ＣＭアクチベーションレコードにおけるＳＦＩ＿ｉｄによる変化起点情報をＣＭ履歴ファイルに報告するように構成される解決策に関連している。従って、インターフェイスｉｔｆ−Ｂは、情報の要求に対して適用され、そして応答を搬送する。
【００３６】
この例によれば、これら全ての情報エレメント及びその値を抽出するための構成は、非整合機能１１１、１１２、１１３が、ＣＭ原因の欠落値、又は起点情報エレメント、例えば、変化の起点を整合機能１００へ与えることができるようにする。従って、整合機能１００は、どんなＳＯＮ機能がインパクトエリア及びタイムにおいて重畳しているかチェックするのに便利である。例えば、ＳＯＮ衝突マトリクスに基づいて、整合機能１００は、それらが互いに衝突するかどうかチェックする。もしそうであれば、整合機能１００は、ある衝突回避アクションを対応的にトリガーして、例えば、非整合機能１１１、１１２、１１３を、ある期間中、ディスエイブルすることができる。別のケースでは、非整合機能１１１、１１２、１１３は、ｄ−ＳＯＮ機能が最初にアクションをとるためにディスエイブルされる。
【００３７】
これらの例では、ＯＳＳに対して構成された移動ネットワーク装置は、ＵＥに通信を与えることができる。ＵＥは、スマートホンの形態であり、上述したように、タブレットコンピュータ、ノートブックコンピュータ、ラップトップコンピュータ、デスクトップコンピュータ、プロセッサイネーブルテレビジョン、パーソナルデジタルアシスタント（ＰＤＡ）、ビデオゲームコンソール又はセットトップボックスに接続されたタッチスクリーン装置、或いは移動ネットワーク接続をもつ他のコンピューティング装置のような他の移動装置が同等に使用されてもよい。
【００３８】
図３は、例えば、図１及び図２のＯＳＳ装置又はＮＥのような移動ネットワーク装置のコンポーネントを例示するもので、これは、種々の形態のコンピューティング及び／又は電子装置により実施される。図３の移動ネットワーク装置は、ＯＳＳ構成の少なくとも一部分を含むエンティティとして働く。移動ネットワーク装置は、１つ以上のプロセッサ３０２を備え、これは、装置のオペレーションを制御するコンピュータ実行可能なインストラクションを処理するためのマイクロプロセッサ、コントローラ又は他の適当なタイプのプロセッサである。装置においてアプリケーションソフトウェア３０８を実行できるようにするため、オペレーティングシステム３０６を含むプラットホームソフトウェア又は他の適当なプラットホームソフトウェアが装置に設けられる。
【００３９】
コンピュータ実行可能なインストラクションは、装置によりアクセスできるコンピュータ読み取り可能な媒体を使用して設けられる。コンピュータ読み取り可能な媒体は、例えば、メモリ３０４のようなコンピュータストレージ媒体及び通信媒体を含む。メモリ３０４のようなコンピュータストレージ媒体は、コンピュータ読み取り可能なインストラクション、データ構造体、プログラムモジュール又は他のデータのような情報を記憶する方法又は技術で実施される揮発性及び不揮発性の除去可能及び除去不能の媒体を含む。対照的に、通信媒体は、コンピュータ読み取り可能なインストラクション、データ構造体、プログラムモジュール又は他のデータを、変調データ信号、例えば、搬送波又は他の搬送メカニズムにおいて実施する。ここに定義するように、コンピュータストレージ媒体は、通信媒体を含まない。それ故、コンピュータストレージ媒体は、伝播信号それ自体であると解釈されてはならない。伝播信号は、コンピュータストレージ媒体に存在するが、伝播信号それ自体は、コンピュータストレージ媒体の例ではない。コンピュータストレージ媒体（メモリ３０４）が装置内に示されているが、ストレージは、分散され又は遠隔に配置され、そしてネットワーク又は他の通信リンクを経て（例えば、通信インターフェイス３１２を使用して）アクセスされてもよいことが明らかである。
【００４０】
「コンピュータ」「計算ベースのデバイス」「装置」又は「移動ネットワーク装置」という語は、ここでは、インストラクションを実行できる処理能力を伴う装置を指す。当業者であれば、そのような処理能力が多数の異なる装置に合体され、それ故、「コンピュータ」及び「計算ベースのデバイス」という語は、各々、ＰＣ、サーバー、移動電話（スマートホンを含む）、タブレットコンピュータ、セットトップボックス、メディアプレーヤ、ゲームコンソール、パーソナルデジタルアシスタント及び多数の他の装置を含むことが明らかであろう。
【００４１】
ここに述べる方法及び機能は、有形のストレージ媒体上のマシン読み取り可能な形態のソフトウェアにより遂行され、例えば、コンピュータプログラムがコンピュータ読み取り可能な媒体上に実施される場合にプログラムがコンピュータ上で実行されるときここに述べるいずれかの方法のステップ及び全ての機能を遂行するように適応されたコンピュータプログラムコード手段を含むコンピュータプログラムの形態のソフトウェアにより遂行される。有形のストレージ媒体は、例えば、ディスク、サムドライブ、メモリ、等のコンピュータ読み取り可能な媒体より成るコンピュータストレージ装置を含むが、伝播信号は含まない。伝播信号は、有形のストレージ媒体に存在するが、伝播信号それ自体は、有形のストレージ媒体の例ではない。ソフトウェアは、方法ステップを適当な順序で又は同時に実行できるように並列プロセッサ又は直列プロセッサ上において実行するのに適したものである。
【００４２】
これは、ソフトウェアが個別に取引可能な貴重な商品であることを認識するものである。望ましい機能を実行するために「ダンプ」又は標準ハードウェアにおいて実行され又はそれを制御するソフトウェアを包含することが意図される。又、ハードウェアの構成を「記述」又は定義するソフトウェア、例えば、望ましい機能を実行するためにシリコンチップを設計したり又はユニバーサルプログラマブルチップを構成したりするのに使用されるＨＤＬ（ハードウェア記述言語）ソフトウェアを包含することも意図される。
【００４３】
当業者であれば、プログラムインストラクションを記憶するのに使用されるストレージ装置は、ネットワークにわたって分散できることが明らかであろう。例えば、リモートコンピュータは、ソフトウェアとして記述されるプロセスの一例を記憶する。ローカル又はターミナルコンピュータは、リモートコンピュータにアクセスし、そしてプログラムを実行するためにソフトウェアの一部分又は全部をダウンロードする。或いは又、ローカルコンピュータは、必要に応じてソフトウェアの断片をダウンロードするか、又はソフトウェアインストラクションの幾つかをローカルターミナルでそして幾つかをリモートコンピュータ（又はコンピュータネットワーク）で実行する。それとは別に又はそれに加えて、ここに述べる機能は、その少なくとも一部分が、１つ以上のハードウェアロジックコンポーネントにより遂行されてもよい。例えば、これに限定されないが、使用できるハードウェアロジックコンポーネントの例示的タイプは、フィールドプログラマブルゲートアレイ（ＦＰＧＡ）、特定用途向け集積回路（ＡＳＩＣ）、特定用途向け標準製品（ＡＳＳＰ）、システムオンチップシステム（ＳＯＣ）、コンプレックスプログラマブルロジックデバイス（ＣＰＬＤ）、等を含む。
【００４４】
ここに示す範囲又は装置の値は、求められた効果を失わずに拡張又は変更できる。又、明確に却下されない限り、ある例を別の例に結合することができる。
【００４５】
構造上の特徴及び／又は行動に特定の言語で要旨について記述したが、特許請求の範囲に規定される要旨は、必ずしも、上述した特定の特徴又は行動に限定されないことを理解されたい。むしろ、上述した特定の特徴及び行動は、請求の範囲を具現化する例として記述されたもので、他の同等の特徴及び行動が請求の範囲内に含まれることが意図される。
【００４６】
上述した利益及び効果は、１つの実施形態に関連してもよいし、多数の実施形態に関連してもよいことが理解されよう。実施形態は、上述した問題のいずれか又は全部を解消するもの、或いは上述した利益及び効果のいずれか又は全部を有するものに限定されない。更に、「単数」アイテムの説明は、複数アイテムも包含されることを理解されたい。
【００４７】
ここに述べる方法のステップは、適当な順序で実行されてもよいし、或いは適当であれば、同時に実行されてもよい。加えて、個々のブロックは、ここに述べる要旨の精神及び範囲から逸脱せずにいずれかの方法から削除されてもよい。上述したいずれの例の観点も、ここに述べるいずれの他の例の観点と結合されて、求められる効果を失うことなく更に別の例を形成することができる。
【００４８】
「備える(comprising)」という語は、ここでは、識別された方法、ブロック又は要素を含むことを意味するために使用されるが、そのようなブロック又は要素は、排他的リストを含まず、そして方法又は装置は、付加的なブロック又は要素を含んでもよい。
【００４９】
以上の説明は、一例に過ぎず、当業者により種々の変更がなされ得ることが理解されよう。前記仕様、実施例及びデータは、規範的な実施形態の構造及び使用の完全な説明を与える。種々の実施形態は、ある程度の特殊性で、或いは１つ以上の個々の実施形態を参照して、以上に述べられたが、当業者であれば、本明細書の精神又は範囲から逸脱せずに、ここに開示する実施形態に対して多数の変更をなすことができよう。
【符号の説明】
【００５０】
１０Ａ、１０Ｂ、１０Ｃ：整合機能
１００：整合機能
１０１：ＣＭ履歴のデータベース
１０２：ＣＭデータのデータベース
１１１、１１２、１１３：非整合機能
３０２：プロセッサ
３０４：メモリ
３０６：オペレーティングシステム
３０８：アプリケーションソフトウェア
３１２：通信インターフェイス
【図１】
0006543715.tif 000007
【図２】
0006543715.tif 000008
【図３】
0006543715.tif 000009